(57)【要約】      （修正有）【課題】異なる運動効果を提供できる回転式ステッパーを提供する。【解決手段】ベース１０と、該ベースに枢設されるステッパー機構２０と、該ステッパー機構に設けられる抵抗装置３０とを有し、該ステッパー機構は、ベースに枢設される主パイプ２１を有し、該主パイプの両側にペダル２８が設けられ、該ペダルと主パイプとの間に連動機構が設けられることを特徴とする回転式ステッパー。【選択図】図１
0003111917.tif 000002
【実用新案登録請求の範囲】
【請求項１】
ベースと、該ベースに枢設されるステッパー機構と、該ステッパー機構に設けられる抵抗装置とを有し、該ステッパー機構は、ベースに枢設される主パイプを有し、該主パイプの両側にペダルが設けられ、該ペダルと主パイプとの間に連動機構が設けられることを特徴とする回転式ステッパー。
【請求項２】
前記連動機構は、主パイプの両側に設けられると共に、相互に平行する枢設ロッドと、枢設ロッドの一端に枢設されると共に、主パイプと平行するペダルパイプとを備え、該ペダルパイプにペダルが設けられ、又、該連動機構は、更に回転軸にて主パイプに設けられる回転部材と、該回転部材に設置されると共に、両端が主パイプの両側における枢設ロッドに固設される伝動ロープとを有し、
前記抵抗装置は、二つの油圧タンクを有し、該油圧タンクに枢設ロッドと連接するタンク部が設けられ、該タンク部に回転軸と連接する伸縮可能な出力ロッドが設けられ、
前記主パイプを回転可能にベースに枢設するため、ベースに取付ロッドが設けられ、該主パイプの両端にベアリングが設けられ、該ベアリングはカバー（４２）（４２２）と、該カバー（４２）（４２２）と接触するボールリング（４４）（４４２）とを備えることを特徴とする請求項１に記載の回転式ステッパー。
【請求項３】
前記ベースの一側にハンドルが設けられ、前記主パイプの両側における枢設ロッドにストッパーが設けられることを特徴とする請求項１又は２に記載の回転式ステッパー。
【考案の詳細な説明】
【技術分野】
【０００１】
本考案は、特に異なる運動効果を提供できる回転式ステッパーに関するものである。
【背景技術】
【０００２】
従来のステッパーは、上下移動可能なペダルを有し、使用者は該ペダルを踏むことにより、歩行やランニングのような運動を行うことができる。
【考案の開示】
【考案が解決しようとする課題】
【０００３】
しかしながら、従来のステッパーは、歩行やランニングのような運動効果しか提供しないので、他の運動効果を提供できない。
【０００４】
そこで、案出されたのが本考案であって、異なる運動効果を提供できる回転式ステッパーを提供することを目的としている。
【課題を解決するための手段】
【０００５】
本願の請求項１の考案は、ベースと、該ベースに枢設されるステッパー機構と、該ステッパー機構に設けられる抵抗装置とを有し、該ステッパー機構は、ベースに枢設される主パイプを有し、該主パイプの両側にペダルが設けられ、該ペダルと主パイプとの間に連動機構が設けられることを特徴とする回転式ステッパー、を提供する。
【０００６】
本願の請求項２の考案は、前記連動機構は、主パイプの両側に設けられると共に、相互に平行する枢設ロッドと、枢設ロッドの一端に枢設されると共に、主パイプと平行するペダルパイプとを備え、該ペダルパイプにペダルが設けられ、又、該連動機構は、更に回転軸にて主パイプに設けられる回転部材と、該回転部材に設置されると共に、両端が主パイプの両側における枢設ロッドに固設される伝動ロープとを有し、
前記抵抗装置は、二つの油圧タンクを有し、該油圧タンクに枢設ロッドと連接するタンク部が設けられ、該タンク部に回転軸と連接する伸縮可能な出力ロッドが設けられ、
前記主パイプを回転可能にベースに枢設するため、ベースに取付ロッドが設けられ、該主パイプの両端にベアリングが設けられ、該ベアリングはカバー（４２）（４２２）と、該カバー（４２）（４２２）と接触するボールリング（４４）（４４２）とを備えることを特徴とする請求項１に記載の回転式ステッパー、を提供する。
【０００７】
本願の請求項３の考案は、前記ベースの一側にハンドルが設けられ、前記主パイプの両側における枢設ロッドにストッパーが設けられることを特徴とする請求項１又は２に記載の回転式ステッパー、を提供する。
【考案の効果】
【０００８】
本考案は上記の課題を解決するものであり、使用者が、ステッパー機構を使用する際、ステッパー機構がベースに対して回転すると共に、ペダルがペダルパイプに対して回転する構成であるので、歩行やランニングの運動効果を提供するだけでなく、腰及び踝を回転させる、異なる運動効果も提供することもできる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る回転式ステッパーの斜視図であり、図２は本考案に係る回転式ステッパーの部分分解斜視図であり、図３は本考案に係る回転式ステッパーの側面図であり、図４は本考案に係る回転式ステッパーの使用状態を示す斜視図であり、図５は本考案に係る回転式ステッパーの使用状態を示す側面図であり、図６は本考案に係る回転式ステッパーの図であり、図７は本考案に係る回転式ステッパーのペダルとペダルパイプを示す分解斜視図である。
【００１１】
図１乃至図３に示すように、本考案に係る回転式ステッパーは、一側にハンドル（１１）が設けられるベース（１０）を有し、上側に該ベース（１０）に対して回転可能なステッパー機構（２０）が枢設され、該ステッパー機構（２０）は、ベース（１０）に対して回転可能な主パイプ（２１）を有し、該主パイプ（２１）の両側にペダル（２８）が設けられ、ペダル（２８）同士と主パイプ（２１）との間に連動機構が設けられ、該連動機構は、主パイプ（２１）の両側に設けられると共に、相互に平行する枢設ロッド（２２）と、枢設ロッド（２２）の一端に枢設されると共に、主パイプ（２１）と平行するペダルパイプ（２３）とを備えることにより、主パイプ（２１）、枢設ロッド（２２）及びペダルパイプ（２３）が平行四辺形の連動ロッド組になり、前記ペダルパイプ（２３）にペダル（２８）が設けられ、又、前記連動機構は更に回転軸（２４２）にて主パイプ（２１）に設けられる回転部材（２４）と、該回転部材（２４）に設置されると共に、両端が主パイプ（２１）の両側における枢設ロッド（２２）に固設される伝動ロープ（２５）とを有する。
【００１２】
又、前記ステッパー機構（２０）に更に抵抗装置（３０）が設けられ、該抵抗装置（３０）は、二つの油圧タンク（３２）を有し、該油圧タンク（３２）に枢設ロッド（２２）と連接するタンク部（３２２）が設けられ、該タンク部（３２２）に回転軸（２４２）と連接する伸縮可能な出力ロッド（３２４）が設けられる。
【００１３】
図４及び図５に示すように、ペダル（２８）を下方へ踏む際、該ペダル（２８）が枢設ロッド（２２）によって主パイプ（２１）に対して回転し、伝動ロープ（２５）が連動されて他のペダル（２８）を上方へ移動することにより、使用者は歩行やランニングのような運動することができる。
【００１４】
又、図３及び図５に示すように、前記主パイプ（２１）の両側における枢設ロッド（２２）にストッパー（２２２）が設けられ、使用者はペダル（２８）を踏む際、該ストッパー（２２２）がペダルパイプ（２３）又は枢設ロッド（２２）と接触することにより、ペダル（２８）の移動範囲を制限する。
【００１５】
又、図６に示すように、前記主パイプ（２１）が回転可能にベース（１０）に枢設されるので、使用者はステッパー機構（２０）を踏む際、該ステッパー機構（２０）がベース（１０）に対して左右に回転されることにより、腰を回転するように異なる運動効果を提供できる。
【００１６】
又、図２に示すように、主パイプ（２１）を回転可能にベース（１０）に枢設するため、ベース（１０）に取付ロッド（１２）が設けられ、該主パイプ（２１）の両端にベアリング（４０）が設けられ、該ベアリング（４０）はカバー（４２）（４２２）と、該カバー（４２）（４２２）と接触するボールリング（４４）（４４２）とを備える。
【００１７】
前記ステッパー機構（２０）がベース（１０）に対して回転する場合、ペダル（２８）を常に前方へ向かう状態を維持するために、該ペダル（２８）がペダルパイプ（２３）に対して回転することができる。図７に示すように、該ペダル（２８）の底部にペダルパイプ（２３）に貫通する取付ロッド（２８２）が設けられ、C字形リングなどの固定部材（２８４）によって取付ロッド（２８２）がペダルパイプ（２３）に枢設される。これにより、使用者は、ステッパー機構（２０）を使用する際、ステッパー機構（２０）がベース（１０）に対する回転、及びペダル（２８）がペダルパイプ（２３）に対する回転により、歩き又は走りのような運動効果を提供するだけでなく、腰及び踝を回転する運動効果を提供することもできる。
【産業上の利用可能性】
【００１８】
本考案は上記の構成を有するので、使用者が、ステッパー機構を使用する際、ステッパー機構がベースに対して回転すると共に、ペダルがペダルパイプに対して回転する構成であるので、歩行やランニングの運動効果を提供するだけでなく、腰及び踝を回転させる、異なる運動効果も提供することもできる。
【図面の簡単な説明】
【００１９】
【図１】本考案に係る回転式ステッパーの斜視図である。
【図２】本考案に係る回転式ステッパーの部分分解斜視図である。
【図３】本考案に係る回転式ステッパーの側面図である。
【図４】本考案に係る回転式ステッパーの使用状態を示す斜視図である。
【図５】本考案に係る回転式ステッパーの使用状態を示す側面図である。
【図６】本考案に係る回転式ステッパーの図である。
【図７】本考案に係る回転式ステッパーのペダルとペダルパイプを示す分解斜視図である。
【符号の説明】
【００２０】
１０  ベース
１１  ハンドル
１２  取付ロッド
２０  ステッパー機構
２１  主パイプ
２２  枢設ロッド
２２２  ストッパー
２３  ペダルパイプ
２４  回転部材
２４２  回転軸
２５  伝動ロープ
２８  ペダル
２８２  取付ロッド
２８４  固定部材
３０  抵抗装置
３２  油圧タンク
３２２  タンク部
３２４  出力ロッド
４０  ベアリング
４２  カバー
４２２  カバー
４４  ボールリング
４４２  ボールリング
【図１】
0003111917.tif 000003
【図２】
0003111917.tif 000004
【図３】
0003111917.tif 000005
【図４】
0003111917.tif 000006
【図５】
0003111917.tif 000007
【図６】
0003111917.tif 000008
【図７】
0003111917.tif 000009